(57)【要約】      （修正有）【課題】筒状浄水器における筒状浄水フィルター装着の正確性と確実性を確保し、未浄水の浄水域への漏れの懸念を払拭し得る筒状浄水器を提供する。【解決手段】有底で上端が開口した筒状浄水器外筒６と、この外筒内に収容される浄水機能組立体とを備え、浄水機能組立体は、両端が開口し各端面に止水用ガスケット３が装着された筒状浄水フィルター１と、流出路８を有する蓋体２と、筒状浄水フィルターの両端開口に連通する中央空間に挿置可能な軸となる長ボルト４と、止着させるナット部材５とを備え、中央空間に挿置された長ボルトの下端部に対し螺合されたナット部材と、長ボルトの上端部に対し接合された蓋体とが互いに締結されることにより、蓋体とナット部材とが筒状浄水フィルターの両止水用ガスケットに密着されるよう組み立てられている。【選択図】図１
0003196034.tif 000002
【実用新案登録請求の範囲】
【請求項１】
有底で上端が開口した外筒と、この外筒内に収容される浄水機能組立体とを備え、前記浄水機能組立体は、両端が開口し各端面に止水用ガスケットが装着された筒状浄水フィルターと、流出路を有する蓋体と、前記筒状浄水フィルターの両端開口に連通する中央空間に挿置可能な軸体と、ナット部材とを備え、前記中央空間に挿置された前記軸体の下端部に対し螺合された前記ナット部材と、前記軸体の上端部に対し接合された前記蓋体とが互いに締結されることにより、前記蓋体と前記ナット部材とが前記筒状フィルターの両止水用ガスケットに密着されるよう組み立てられていることを特徴とした筒状浄水器。
【考案の詳細な説明】
【技術分野】
【０００１】  本考案は、筒状浄水器における筒状浄水フィルター装着の正確性と確実性を確保し、未浄水の浄水域への漏れの懸念を払拭する筒状浄水器に関するものである。
【背景技術】
【０００２】  未浄水を筒状浄水フィルターでろ過して浄水を生成する筒状浄水器において、上記フィルターを装着するには、上記フィルター両端に装着された止水用ガスケットを、筒状浄水器蓋体内側および筒状浄水器外筒底面双方に設けられた円形の設置用突起部にそれぞれ当接するように設置し、上記蓋体と上記外筒底面とで圧着して装着する方法が用いられている。
【先行技術文献】
【特許文献】
【０００３】
【特許文献１】  特開２００３−１０８４１号公報
【特許文献２】  特開２０１４−００４５６４号公報
【考案の概要】
【考案が解決しようとする課題】
【０００４】  筒状浄水器蓋体内側および筒状浄水器外筒底面双方に設けられた円形の設置用突起部に筒状浄水フィルター両端に装着された止水用ガスケットをそれぞれ当接するように設置し、上記蓋体と上記外筒底面とで圧着させる従来のフィルター装着方法では次のような欠点がある。【０００５】  上記フィルターを上記浄水器外筒に据え込む際に、上記突起部に上記ガスケットを正確に当接させる必要があることから、高度な据え込み技術が要され、加えて、作業者によって作業の出来に差異が生じる。【０００６】  上記蓋体と上記外筒底面で上記フィルター両端を挟装し、内接した状態で押圧しながら上記蓋体を装着するため、結合箇所の確認を含め作業状況の視認が行えない。【０００７】  上記突起部と上記ガスケットの当接が不適切に行われると、上記突起部と上記ガスケットの間に隙間が生じ、その隙間から未浄水が浄水域に漏水する。【０００８】  本考案は、以上のような従来の欠点を鑑み、筒状浄水フィルター装着作業の正確性と確実性を確保し、未浄水の浄水域への漏水の懸念を解消した筒状浄水器を提供することを目的としている。
【課題を解決するための手段】
【０００９】  本考案は上記目的を達成するために、筒状浄水器の浄水流出路を持つ蓋体と、両端が開口し各端面に止水用ガスケットが装着された筒状浄水フィルターと、前記フィルター両端開口に連通する空間に挿置可能な軸体と、ナット部材を用いて、上記蓋体に上記フィルターを密着に係合させた浄水機能組立体を形成し、上記浄水機能組立体と筒状浄水器外筒を嵌合する筒状浄水器を構成している。
【考案の効果】
【００１０】  本考案にあっては次に列挙する効果が得られる。【００１１】  筒状浄水フィルターを筒状浄水器外筒に装着する際、先んじて上記軸体と上記ナット部材を用いて上記蓋体に上記フィルターを係合した浄水機能組立体を構成し、その後、上記浄水機能組立体を筒状浄水器外筒と嵌合させる手順となるため、装着作業が単純化され、作業手順が明確化される。【００１２】  上記フィルター装着作業を、結合箇所の視認を含め、作業状況を確認しつつ進めることが可能となり、正確且つ確実に止着することができる。【００１３】  上記浄水機能組立体は、上記軸体に上記ナット部材を螺入し圧接して形成するため、上記蓋体と上記フィルターの密着性が高まり、漏水が発生しない。【００１４】  結合箇所の視認を行えることから装着時にずれは生じず、前記課題のずれによる未浄水の浄水域への漏水の懸念を解決する。
【図面の簡単な説明】
【００１５】
【図１】本考案の一実施形態を示す断面図である。
【図２】本考案の一実施形態を示す参考斜視図である。
【図３】本考案の一実施形態を示す参考斜視図である。
【図４】図１のＡ部詳細図である。
【図５】図１のＢ部詳細図である。
【考案を実施するための形態】
【００１６】  以下、本考案の実施の形態を図に基づいて説明する。
【００１７】  図１は本考案の断面図である。１は筒状浄水フィルター、６は筒状浄水器外筒であり、底部にドレン１１を保持している。３は筒状浄水フィルター１両端に付装された止水用ガスケット、４は軸となる長ボルトである。２は流出路８を持つ蓋体であり、エア抜き９を保持している。５は止着させるナット部材であり、軸となる長ボルト４を止着する。
【００１８】  筒状浄水器は、筒状浄水器外筒６と浄水機能組立体とで構成され、浄水機能組立体は、筒状浄水フィルター１と、流出路を持つ蓋体２と、軸となる長ボルト４と、止着させるナット部材５によって形成され、筒状浄水器外筒６に収容される。
【００１９】  筒状浄水フィルター１は、上下に開口し中央に空間を有する筒状であり、各端面に止水用ガスケット３を有し、周壁が浄水機能を有するフィルターであり、外周側から内周側へ径方向に水が通過することでろ過される。
【００２０】  流入路７から流入した未浄水Ｗｂは、外筒内壁６ａと筒状フィルター外壁１ｂで形成されるドーナツ状空間に充満し、充満した未浄水Ｗｂは筒状フィルター外壁１ｂ側から筒状フィルター内壁１ａ側へ径方向に通過されることでろ過され、中央空間に流れ込んだろ過済みの浄水Ｗａが流出路８から外部へ取り出される。尚、流入路は図１、図２、図３においては蓋体に設置しているが、筒状浄水器外筒に設けても良い。
【００２１】  止水用ガスケット３の一方は流出路を持つ蓋体２下面のパッキン抑え２ａと当接し、他方は止着させるナット部材５の周端部５ａと当接する。
【００２２】  浄水機能組立体は、流出路を持つ蓋体２に軸となる長ボルト４を接合し、上記長ボルトを筒状浄水フィルター１の一端の開口部から差し入れて貫通させ、他開口部より飛び出た部分に止着させるナット部材５を螺入して接合させる。
【００２３】  浄水機能組立体と筒状浄水器外筒６は、リング状クランプ１０で嵌着することにより液密に接着する。尚、浄水機能組立体と筒状浄水器外筒６の接着方法はねじ込み式でも良い。
【実施例１】
【００２４】  家庭の水道水流入配管に本考案である筒状浄水器の筒状浄水フィルターにヤシ殻活性炭で形成された浄水フィルターを用いて一年間使用した結果、未浄水が浄水域に漏水せず、良好な浄水を得ることができた。【００２５】  本実施例では、流入口流出口双方の配管にユニオンをそれぞれ附設した。【００２６】  形成された浄水機能組立体はユニオンを係脱することで容易に抜脱でき、着脱作業は短時間で簡便に行え、省スペースにも優れていた。
【産業上の利用の可能性】
【００２７】  本考案は、筒状浄水フィルターを筒状浄水器蓋体に密着に係合させた浄水機能組立体を形成し、上記浄水機能組立体と筒状浄水器外筒を液密に嵌合する筒状浄水器を構成している。
【００２８】  本考案は未浄水が浄水域に混入することがなく、浄水フィルター交換の作業性の向上が図れるため、利用価値が高い。
【符号の説明】
【００２９】１    筒状浄水フィルター
１ａ  筒状フィルター内壁
１ｂ  筒状フィルター外壁
２    流出路を持つ蓋体
２ａ  パッキン抑え
３    止水用ガスケット
４    軸となる長ボルト
５    止着させるナット部材
５ａ  周端部
６    筒状浄水器外筒
６ａ  外筒内壁
７    流入路
８    流出路
９    エア抜き
１０  リング状クランプ
１１  ドレン
Ｗａ  浄水
Ｗｂ  未浄水
【図１】
0003196034.tif 000003
【図２】
0003196034.tif 000004
【図３】
0003196034.tif 000005
【図４】
0003196034.tif 000006
【図５】
0003196034.tif 000007